【手続補正書】
【提出日】令和1年11月25日(2019.11.25)
【手続補正１】
【補正対象書類名】特許請求の範囲
【補正対象項目名】全文
【補正方法】変更
【補正の内容】
【特許請求の範囲】
【請求項１】
光熱変換材料で熱膨張性シートに生体画像を印刷する第１工程と、
前記熱膨張性シートに印刷された前記生体画像に対して所定の光を照射することで前記熱膨張性シートにおける前記生体画像に対応する領域を熱膨張により隆起させて前記熱膨張性シートの表面に前記生体画像に対応させた表面凹凸を形成する第２工程と、
を有し、
前記第１工程は、前記生体画像のうち生体の外観を示す画像を前記熱膨張性シートの裏面に印刷するとともに、前記生体画像のうち生体の内部機能経路を示す画像を前記熱膨張性シートの表面に印刷し、
前記第２工程は、前記熱膨張性シートの裏面側から前記所定の光を照射することで前記熱膨張性シートの表面に前記外観を示す画像に対応させた表面凹凸を形成するとともに、前記熱膨張性シートの表面側から前記所定の光を照射することで前記熱膨張性シートの表面に前記内部機能経路を示す画像に対応させた表面凹凸を形成する、
ことを特徴とする生体模型の製造方法。
【請求項２】
前記第１工程は、前記内部機能経路を示す画像の線幅が所定の幅以上であった場合には、前記内部機能経路を示す画像の中央の領域の濃度が濃くなるように且つ周辺領域の濃度が薄くなるように濃度値が補正された生体画像を印刷する、
ことを特徴とする請求項１に記載の生体模型の製造方法。
【請求項３】
前記第１工程は、前記内部機能経路を示す画像の線幅が１．５ｍｍ以上であった場合に、前記内部機能経路を示す画像の中央の領域の濃度が濃くなるように且つ周辺領域の濃度が薄くなるように濃度値が補正された前記生体画像を印刷する、
ことを特徴とする請求項２に記載の生体模型の製造方法。
【請求項４】
前記第１工程は、前記内部機能経路を示す画像の中央の領域の濃度が前記周辺領域の濃度の２倍以上の濃度値に補正された前記生体画像を印刷する、
ことを特徴とする請求項２又は請求項３に記載の生体模型の製造方法。
【請求項５】
光熱変換材料で熱膨張性シートに生体画像を印刷する第１工程と、
前記熱膨張性シートに印刷された前記生体画像に対して所定の光を照射することで前記熱膨張性シートにおける前記生体画像に対応する領域を熱膨張により隆起させて前記熱膨張性シートの表面に前記生体画像に対応させた表面凹凸を形成する第２工程と、
を有し、
前記第１工程は、前記生体画像のうち生体の外観を示す画像を前記熱膨張性シートの裏面に印刷するとともに、前記生体画像のうち生体を構成する内部器官であって少なくとも線形器官を示す画像を前記熱膨張性シートの表面に印刷し、
前記第２工程は、前記熱膨張性シートの裏面側から前記所定の光を照射することで前記熱膨張性シートの表面に前記外観を示す画像に対応させた表面凹凸を形成するとともに、前記熱膨張性シートの表面側から前記所定の光を照射することで前記熱膨張性シートの表面に前記線形器官を示す画像に対応させた表面凹凸を形成する、
ことを特徴とする生体模型の製造方法。
【請求項６】
前記第１工程は、前記線形器官を示す画像の線幅が所定の幅以上であった場合には、前記線形器官を示す画像の中央の領域の濃度が濃くなるように且つ周辺領域の濃度が薄くなるように濃度値が補正された生体画像を印刷する、
ことを特徴とする請求項５に記載の生体模型の製造方法。
【請求項７】
前記第１工程は、前記線形器官を示す画像の線幅が１．５ｍｍ以上であった場合に、前記線形器官を示す画像の中央の領域の濃度が濃くなるように且つ周辺領域の濃度が薄くなるように濃度値が補正された生体画像を印刷する、
ことを特徴とする請求項６に記載の生体模型の製造方法。
【請求項８】
前記第１工程は、前記線形器官を示す画像の中央の領域の濃度が前記周辺領域の濃度の２倍以上の濃度値に補正された生体画像を印刷する、
ことを特徴とする請求項６又は請求項７に記載の生体模型の製造方法。
【請求項９】
コンピュータを、
光熱変換材料で熱膨張性シートに生体画像を印刷する印刷手段、
前記熱膨張性シートに印刷された前記生体画像に対して所定の光を照射することで前記熱膨張性シートにおける前記生体画像に対応する領域を熱膨張により隆起させて前記熱膨張性シートの表面に前記生体画像に対応させた表面凹凸を形成する形成手段、
として機能させ、
前記印刷手段は、前記生体画像のうち生体の外観を示す画像を前記熱膨張性シートの裏面に印刷するとともに、前記生体画像のうち生体の内部機能経路を示す画像を前記熱膨張性シートの表面に印刷し、
前記形成手段は、前記熱膨張性シートの裏面側から前記所定の光を照射することで前記熱膨張性シートの表面に前記外観を示す画像に対応させた表面凹凸を形成するとともに、前記熱膨張性シートの表面側から前記所定の光を照射することで前記熱膨張性シートの表面に前記内部機能経路を示す画像に対応させた表面凹凸を形成する、
ことを特徴とするプログラム。
【請求項１０】
コンピュータを、
光熱変換材料で熱膨張性シートに生体画像を印刷する印刷手段と、
前記熱膨張性シートに印刷された前記生体画像に対して所定の光を照射することで前記熱膨張性シートにおける前記生体画像に対応する領域を熱膨張により隆起させて前記熱膨張性シートの表面に前記生体画像に対応させた表面凹凸を形成する形成手段と、
して機能させ、
前記印刷手段は、前記生体画像のうち生体の外観を示す画像を前記熱膨張性シートの裏面に印刷するとともに、前記生体画像のうち生体を構成する内部器官であって少なくとも線形器官を示す画像を前記熱膨張性シートの表面に印刷し、
前記形成手段は、前記熱膨張性シートの裏面側から前記所定の光を照射することで前記熱膨張性シートの表面に前記外観を示す画像に対応させた表面凹凸を形成するとともに、前記熱膨張性シートの表面側から前記所定の光を照射することで前記熱膨張性シートの表面に前記線形器官を示す画像に対応させた表面凹凸を形成する、
ことを特徴とするプログラム。
【手続補正２】
【補正対象書類名】明細書
【補正対象項目名】発明の名称
【補正方法】変更
【補正の内容】
【発明の名称】生体模型の製造方法及びプログラム
【手続補正３】
【補正対象書類名】明細書
【補正対象項目名】０００１
【補正方法】変更
【補正の内容】
【０００１】
本発明は、生体模型の製造方法及びプログラムに関する。
【手続補正４】
【補正対象書類名】明細書
【補正対象項目名】０００５
【補正方法】変更
【補正の内容】
【０００５】
以上のような実情を踏まえ、本発明は、触覚により知覚することが比較的容易である生体模型を形成することができる、生体模型の製造方法及びプログラムを提供することを課題とする。
【手続補正５】
【補正対象書類名】明細書
【補正対象項目名】０００６
【補正方法】変更
【補正の内容】
【０００６】
本発明の一態様は、光熱変換材料で熱膨張性シートに生体画像を印刷する第１工程と、前記熱膨張性シートに印刷された前記生体画像に対して所定の光を照射することで前記熱膨張性シートにおける前記生体画像に対応する領域を熱膨張により隆起させて前記熱膨張性シートの表面に前記生体画像に対応させた表面凹凸を形成する第２工程と、を有し、前記第１工程は、前記生体画像のうち生体の外観を示す画像を前記熱膨張性シートの裏面に印刷するとともに、前記生体画像のうち生体の内部機能経路を示す画像を前記熱膨張性シートの表面に印刷し、前記第２工程は、前記熱膨張性シートの裏面側から前記所定の光を照射することで前記熱膨張性シートの表面に前記外観を示す画像に対応させた表面凹凸を形成するとともに、前記熱膨張性シートの表面側から前記所定の光を照射することで前記熱膨張性シートの表面に前記内部機能経路を示す画像に対応させた表面凹凸を形成する生体模型の製造方法を提供する。
【手続補正６】
【補正対象書類名】明細書
【補正対象項目名】０００７
【補正方法】変更
【補正の内容】
【０００７】
本発明の別の一態様は、光熱変換材料で熱膨張性シートに生体画像を印刷する第１工程と、前記熱膨張性シートに印刷された前記生体画像に対して所定の光を照射することで前記熱膨張性シートにおける前記生体画像に対応する領域を熱膨張により隆起させて前記熱膨張性シートの表面に前記生体画像に対応させた表面凹凸を形成する第２工程と、を有し、前記第１工程は、前記生体画像のうち生体の外観を示す画像を前記熱膨張性シートの裏面に印刷するとともに、前記生体画像のうち生体を構成する内部器官であって少なくとも線形器官を示す画像を前記熱膨張性シートの表面に印刷し、前記第２工程は、前記熱膨張性シートの裏面側から前記所定の光を照射することで前記熱膨張性シートの表面に前記外観を示す画像に対応させた表面凹凸を形成するとともに、前記熱膨張性シートの表面側から前記所定の光を照射することで前記熱膨張性シートの表面に前記線形器官を示す画像に対応させた表面凹凸を形成する生体模型の製造方法を提供する。
【手続補正７】
【補正対象書類名】明細書
【補正対象項目名】０００８
【補正方法】変更
【補正の内容】
【０００８】
本発明の更に別の態様は、コンピュータを、光熱変換材料で熱膨張性シートに生体画像を印刷する印刷手段、前記熱膨張性シートに印刷された前記生体画像に対して所定の光を照射することで前記熱膨張性シートにおける前記生体画像に対応する領域を熱膨張により隆起させて前記熱膨張性シートの表面に前記生体画像に対応させた表面凹凸を形成する形成手段、として機能させ、前記印刷手段は、前記生体画像のうち生体の外観を示す画像を前記熱膨張性シートの裏面に印刷するとともに、前記生体画像のうち生体の内部機能経路を示す画像を前記熱膨張性シートの表面に印刷し、前記形成手段は、前記熱膨張性シートの裏面側から前記所定の光を照射することで前記熱膨張性シートの表面に前記外観を示す画像に対応させた表面凹凸を形成するとともに、前記熱膨張性シートの表面側から前記所定の光を照射することで前記熱膨張性シートの表面に前記内部機能経路を示す画像に対応させた表面凹凸を形成するプログラムを提供する。
【手続補正８】
【補正対象書類名】明細書
【補正対象項目名】０００９
【補正方法】変更
【補正の内容】
【０００９】
本発明の更に別の態様は、コンピュータを、光熱変換材料で熱膨張性シートに生体画像を印刷する印刷手段と、前記熱膨張性シートに印刷された前記生体画像に対して所定の光を照射することで前記熱膨張性シートにおける前記生体画像に対応する領域を熱膨張により隆起させて前記熱膨張性シートの表面に前記生体画像に対応させた表面凹凸を形成する形成手段と、して機能させ、前記印刷手段は、前記生体画像のうち生体の外観を示す画像を前記熱膨張性シートの裏面に印刷するとともに、前記生体画像のうち生体を構成する内部器官であって少なくとも線形器官を示す画像を前記熱膨張性シートの表面に印刷し、前記形成手段は、前記熱膨張性シートの裏面側から前記所定の光を照射することで前記熱膨張性シートの表面に前記外観を示す画像に対応させた表面凹凸を形成するとともに、前記熱膨張性シートの表面側から前記所定の光を照射することで前記熱膨張性シートの表面に前記線形器官を示す画像に対応させた表面凹凸を形成するプログラムを提供する。
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】削除
【補正の内容】
【手続補正１１】
【補正対象書類名】明細書
【補正対象項目名】００１２
【補正方法】削除
【補正の内容】
【手続補正１２】
【補正対象書類名】明細書
【補正対象項目名】００１３
【補正方法】削除
【補正の内容】
【手続補正１３】
【補正対象書類名】明細書
【補正対象項目名】００１４
【補正方法】変更
【補正の内容】
【００１４】
本発明によれば、触覚により知覚することが比較的容易である生体模型を形成することができる、生体模型の製造方法及びプログラムを提供することができる。